(57)【要約】【課題】天井懐の高さが低い場合でも清掃とメンテナンスを容易にできるドレンポンプユニットを提供する。【解決手段】ユニット筐体１８内に配置されたドレンパン１９と、ユニット筐体１８内に上下方向に出し入れ可能に設けられドレンパン１９内のドレン水を吸引して外部へ排水するドレンポンプを有するドレンポンプ・センサーユニット２０と、ユニット筐体１８内にドレンパン１９の上方に配置されドレンポンプを運転制御する電源制御ボックス２１とを備え、ドレンポンプ・センサーユニット２０と電源制御ボックス２１は、互いの係合によりドレンポンプ・センサーユニット２０を電源制御ボックス２１に着脱自在に係止する係止手段を備え、ドレンポンプ・センサーユニット２０を電源制御ボックス２１に係止した際に、そのユニット２０が使用時の位置よりも上方に保持されてドレンパン１９が水平方向に移動可能になる。【選択図】図４
2014052095.tif 000002
【特許請求の範囲】
【請求項１】
筐体と、
前記筐体内に配置され、外部からのドレン水を貯留するドレンパンと、
前記筐体内に上下方向に出し入れ可能に設けられ、前記ドレンパンに貯留されたドレン水を吸引して外部へ排水するドレンポンプを有するユニットと、
前記筐体内に前記ドレンパンの上方に配置され、前記ドレンポンプを運転制御する制御回路を有する電源制御ボックスとを備え、
前記ユニットと前記電源制御ボックスあるいは前記筐体は、互いの係合により前記ユニットを前記電源制御ボックスあるいは前記筐体に着脱自在に係止する係止手段を備え、
前記ユニットを前記電源制御ボックスあるいは前記筐体に係止した際に、当該ユニットが使用時の位置よりも上方に保持され、前記ドレンパンが水平方向に移動可能になることを特徴とするドレンポンプユニット。
【請求項２】
前記ユニットを前記電源制御ボックスあるいは前記筐体に係止した際に、当該ユニットのドレンポンプが前記ドレンパンよりも上方に位置することを特徴とする請求項１記載のドレンポンプユニット。
【請求項３】
前記電源制御ボックスの側面に、前記係止手段として、支持片が設けられ、
前記ユニットの側面に、前記係止手段として、前記支持片に係止する係止片が設けられていることを特徴とする請求項１又は２記載のドレンポンプユニット。
【請求項４】
前記筐体の側面に、前記係止手段として、支持片が設けられ、
前記ユニットの側面に、前記係止手段として、前記支持片に係止する係止片が設けられていることを特徴とする請求項１又は２記載のドレンポンプユニット。
【請求項５】
外気を吸引して室内に給気する給気用送風機と、
室内の空気を吸引して外部へ排気する排気用送風機と、
前記給気用送風機により吸引された外気と前記排気用送風機により吸引された室内の空気で熱交換を行う熱交換素子と、
内部のドレン水を貯留する換気用ドレンパンと、
前記換気用ドレンパンに貯留されたドレン水を外部に排水する請求項１乃至４の何れか一項に記載のドレンポンプユニットと
を備えたことを特徴とする加湿付全熱交換形換気装置。
【請求項６】
室外機と、
前記室外機に冷媒配管を介して接続された室内機と、
前記室内機のドレン水を外部に排水する請求項１乃至４の何れか一項に記載のドレンポンプユニットと
を備えたことを特徴とする空気調和機。
【発明の詳細な説明】
【技術分野】
【０００１】
本発明は、ドレン水を強制的に排水するドレンポンプユニット、ドレンポンプユニットを備えた加湿付全熱交換形換気装置および空気調和機に関するものである。
【背景技術】
【０００２】
従来、空気調和機は、熱交換器で発生した凝縮水や加湿器から発生した加湿水をドレン水として溜めるドレンパンが設けられている。このドレンパンに流入したドレン水は、通常接続されたドレン配管の配管勾配により外部へ自然排出され、あるいは内蔵されたドレンポンプユニットにより強制的に外部へ排出されるようになっている。
【０００３】
ドレンポンプを内蔵していない空気調和機や加湿付全熱交換形換気装置においても、天井懐の高さがなくドレン配管の勾配がとれない設置場所では、ドレン配管の勾配により自然排水ができないため、ドレンパンに流入したドレン水を強制的に排出したい場合がある。このような場合は、空気調和機や加湿付全熱交換形換気装置とは別にドレンポンプユニットを設け、空気調和機や加湿付全熱交換形換気装置のドレンパン内のドレン水をドレンポンプユニットにより外部へ排出するようにしている。
【０００４】
この種のドレンパンは、建築物衛生法で法定点検の対象となっており、定期的に清掃やメンテナンスを実施する必要がある。しかし、ドレンパンは空気調和機やドレンポンプユニット内部に一体となって設けられているため、天井裏での空気調和機やドレンポンプユニットを分解して清掃とメンテナンスを実施しなければならず、ドレンパンの清掃とメンテナンスに手間とコストがかかるという課題がある。
【０００５】
ドレンパンの清掃とメンテナンスに手間とコストがかかる理由から、定期的にドレンパンの清掃とメンテナンスが実施されていることはまれである。ドレンポンプユニットで強制的に排水する場合、定期的にドレンパンの清掃とメンテナンスが実施されないことでドレンパンに埃などの汚れやスライムが発生し、埃などの汚れやスライムをドレンポンプが吸い込んだ場合には、ドレン水の排水不具合による制御エラーや水漏れを起こすという課題もある。
【０００６】
そこで、従来、容易にドレンパンの清掃とメンテナンスを実施する方法として、ドレンポンプユニットのドレンパンにヒンジ機構を設け、ドレンパンを開くことによってドレンパンの清掃とメンテナンスを容易にする技術がある（例えば、特許文献１参照）。
【０００７】
また、容易にドレンパンの清掃・メンテナンスを実施する方法として、ドレンパンを引出収納可能な構造とし、ドレンパンの清掃とメンテナンスを容易にする技術が開示されている（例えば、特許文献２参照）。
【先行技術文献】
【特許文献】
【０００８】
【特許文献１】特許第３６７０８２０号公報
【特許文献２】特許第３８０２５３１号公報
【発明の概要】
【発明が解決しようとする課題】
【０００９】
前述した特許文献１に記載の技術では、天井懐の高さがなくドレンパンを開くスペースがない場合は、ドレンポンプユニットの設置が不可となる課題がある。また、ドレンポンプによりドレン水を排水する場合、ドレンパンには必ず死水が発生するため、ドレンパンを開けて清掃とメンテナンスを行う際に、天井面に水をこぼす可能性がある。
【００１０】
また、特許文献２に記載の技術では、ドレンポンプがない場合はドレンパンを引出収納可能となる。しかしながら、ドレンポンプにより排水を実施する場合は、排水を確実にするため、ドレンパンより上方に数ｍｍ離れた位置にドレンポンプを設置することは一般的であり、この場合、ドレンポンプが邪魔となり、ドレンパンの引出と収納が不可能であるという課題があった。
【００１１】
本発明は、前記のような課題を解決するためになされたもので、天井懐の高さが低い場合でも清掃とメンテナンスを容易に実施できるドレンポンプユニット、ドレンポンプユニットを備えた加湿付全熱交換形換気装置、およびドレンポンプユニットを備えた空気調和機を提供することを目的とする。
【課題を解決するための手段】
【００１２】
本発明に係るドレンポンプユニットは、筐体と、筐体内に配置され、外部からのドレン水を貯留するドレンパンと、筐体内に上下方向に出し入れ可能に設けられ、ドレンパンに貯留されたドレン水を吸引して外部へ排水するドレンポンプを有するユニットと、筐体内にドレンパンの上方に配置され、ドレンポンプを運転制御する制御回路を有する電源制御ボックスとを備え、ユニットと電源制御ボックスあるいは筐体は、互いの係合によりユニットを電源制御ボックスあるいは筐体に着脱自在に係止する係止手段を備え、ユニットを電源制御ボックスあるいは筐体に係止した際に、そのユニットが使用時の位置よりも上方に保持され、ドレンパンが水平方向に移動可能になっている。
【発明の効果】
【００１３】
本発明によれば、ユニットを電源制御ボックスあるいは筐体に係止した際に、そのユニットが使用時の位置よりも上方に保持されて、ドレンパンが水平方向に移動可能になるので、ドレンパン内の埃などによる汚れやスライムの清掃を容易に行うことができ、そのため、ドレンパン内の汚れやスライムによりドレンポンプが詰まることがなくなり、ドレン水の排水不良による水漏れの不具合を解消することができる。
また、天井裏での定期的なドレンパンの清掃やドレンポンプのメンテナンスが容易となり、作業時間の短縮化を図ることができる。また、ドレンポンプユニットの清掃・メンテナンスも一方向から実施が可能となるため、天井裏のメンテナンススペースの縮小も期待できる。
【図面の簡単な説明】
【００１４】
【図１】本発明の実施の形態に係る加湿付全熱交換形換気装置の内部を示す斜視図である。
【図２】図１の加湿付全熱交換形換気装置にドレンポンプユニットを取り付けた状態を示す斜視図である。
【図３】図１の加湿付全熱交換形換気装置にドレンポンプユニットを取り付ける前の状態を示す斜視図である。
【図４】本発明の実施の形態に係るドレンポンプユニットを分解して示す斜視図である。
【図５】図４のドレンポンプ・センサーユニットを分解して示す斜視図である。
【図６】本発明の実施の形態に係るメンテナンスカバーを取り外して示すドレンポンプユニットの正面断面図である。
【図７】本発明の実施の形態に係るドレンポンプユニットのメンテナンスカバーを取り外して示す正面図である。
【図８】本発明の実施の形態に係るドレンポンプユニットのメンテナンスカバーとドレンポンプ・センサーユニットの両方を取り外して示す斜視図である。
【図９】本発明の実施の形態に係るドレンポンプ・センサーユニットを矢印Ａ方向に移動させてメンテナンスフックに引っ掛けた状態を示す正面図である。
【図１０】本発明の実施の形態に係るドレンポンプ・センサーユニットをメンテナンスフックに引っ掛けた状態およびドレンパンを矢印Ｂ方向に移動させた状態を示す斜視図である。
【発明を実施するための形態】
【００１５】
以下、本発明のドレンポンプユニット及びドレンポンプユニットを備えた加湿付全熱交換形換気装置の実施の形態を説明する。
図１は本発明の実施の形態に係る加湿付全熱交換形換気装置の内部を示す斜視図、図２は図１の加湿付全熱交換形換気装置にドレンポンプユニットを取り付けた状態を示す斜視図、図３は図１の加湿付全熱交換形換気装置にドレンポンプユニットを取り付ける前の状態を示す斜視図である。なお、図中に示す符号ＯＡは外気(Outdoor Air) 、符号ＳＡは給気(Supply Air)、符号ＲＡは還気(Return Air)、符号ＥＡは排気(Exhaust Air) を示している。
【００１６】
加湿付全熱交換形換気装置１は、図１乃至図３に示すように、板金により直方体状に形成された筐体を備え、その筐体の長手方向の一方の側面には、円筒状に形成された外気吸い込み口８と排気吐き出し口１１が設けられ、他方の側面には、円筒状に形成された給気吐き出し口９と室内空気吸い込み口１０が設けられている。この加湿付全熱交換形換気装置１は、天井裏の空間に設置され、天井材により隠ぺいされている。
【００１７】
筐体の内部には、外気ＯＡを室内へ給気ＳＡとして供給するための給気風路１２と室内の還気ＲＡを室外へ排気ＥＡとして排出するための排気風路１３が設けられている。給気風路１２上には、給気用送風機２、給気用送風機２からの空気を加熱／冷却するための直膨コイル５、直膨コイル５を通過した空気を加湿するための加湿器６が配置されている。排気風路１３上には、排気用送風機３が配置されている。また、給気風路１２および排気風路１３には、外気と室内空気で熱交換を行う熱交換素子４が給気用送風機２と排気用送風機３との間に設置されている。
【００１８】
給気風路１２は、外気吸い込み口８と熱交換素子４との間に設けられた熱交換前給気風路１２ａ、熱交換素子４に設けられた熱交換給気風路１２ｂ、熱交換素子４と給気吐き出し口９との間に設けられた熱交換後給気風路１２ｃを有している。排気風路１３は、室内空気吸い込み口１０と熱交換素子４との間に設けられた熱交換前排気風路１３ａ、熱交換素子４に設けられた熱交換排気風路１３ｂ、熱交換素子４と排気吐き出し口１１との間に設けられた熱交換後排気風路１３ｃを有している。
【００１９】
熱交換素子４は、平板紙上に波板紙（コルゲートシート）を接着して形成された孔開き平板状の熱交換給気風路１２ｂと、同様に平板紙上に波板紙（コルゲートシート）を接着して形成された孔開き平板状の熱交換排気風路１３ｂとが、給気風路１２の方向と排気風路１３の方向が直交するように多数積層されて構成され、給気風路１２および排気風路１３を通過する給気ＳＡ、排気ＥＡ間で熱交換を行なう。
【００２０】
加湿付全熱交換形換気装置１は、加湿器６から排出される水および直膨コイル５により冷却されたときに発生する凝縮水を受ける加湿部ドレンパン７を有しており、加湿部ドレンパン７に溜まった水を排水するドレン排水口１４を備えている。
【００２１】
加湿部ドレンパン７に溜まった水の排水として、ドレン排水口１４に塩ビ配管を下方に傾けた状態で接続し、その塩ビ配管の自然勾配利用して排水する方法があるが、本実施の形態においては、加湿部ドレンパン７に溜まったドレン水を強制的に排水するドレンポンプユニット１５を使用している。
【００２２】
ドレンポンプユニット１５は、図２に示すように、筐体の給気吐き出し口９近傍の側面に取り付けられた接続金具１６に装着され、専用の排水ホース１７を介してドレン排水口１４と接続されている。ドレンポンプユニット１５の取り付けは、図３に示すように、筐体の側面に接続金具１６をネジ等で固定し、その接続金具１６にドレンポンプユニット１５をネジ等により装着し、そして、ドレン排水口１４とドレンポンプユニット１５とを排水ホース１７で接続する。加湿付全熱交換形換気装置１の加湿部ドレンパン７に溜まったドレン水は排水ホース１７を通ってドレンポンプユニット１５内に流れ込む。
【００２３】
図４は本発明の実施の形態に係るドレンポンプユニットを分解して示す斜視図である。
ドレンポンプユニット１５は、ユニット筐体１８と、上部に開口を有する箱形状のドレンパン１９と、ドレンポンプ・センサーユニット２０と、電源制御ボックス２１と、メンテナンスカバー２２と、電源制御ボックス２１に着脱可能に装着されたボックスカバー２３とから構成されている。電源制御ボックス２１内には、電源回路および制御回路を構成する各種部品が実装された基板が収納されている。ドレンポンプ・センサーユニット２０は、上部に上面板２６が取り付けられている。この上面板２６により、ドレンポンプ・センサーユニット２０を上下方向に出し入れ可能にユニット筐体１８内に収納されている。
【００２４】
図５は図４のドレンポンプ・センサーユニットを分解して示す斜視図である。
ドレンポンプ・センサーユニット２０は、ドレンポンプ２８と、下面にドレンポンプ２８が着脱可能に取り付けられたドレンポンプ固定板２４と、２枚のドレンポンプ・センサー固定板２５と、前記の上面板２６と、メンテナンスピース２７と、フロートスイッチ２９と、水検知センサー３０とから構成されている。
【００２５】
ドレンポンプ固定板２４は、２枚のドレンポンプ・センサー固定板２５により狭持されてネジで固定されている。フロートスイッチ２９および水検知センサー３０は、Ｌ字状に形成された支持板２９ａ、３０ａにそれぞれ取り付けられ、各支持板２９ａ、３０ａを介して一方のドレンポンプ・センサー固定板２５にネジで着脱可能に取り付けられている。このドレンポンプ・センサーユニット２０は、前述した構成により、ドレンポンプ２８、フロートスイッチ２９および水検知センサー３０のメンテナンスが必要な場合に分解が可能になっている。
【００２６】
図６はメンテナンスカバーを取り外して示すドレンポンプユニットの正面断面図である。
ドレンポンプ・センサーユニット２０の鉛直方向の長さは、ドレンポンプ２８の吸込口がドレンパン１９の底面から上方に数ｍｍ離れた位置となるように設定されている。ドレンポンプ２８の吸込口をドレンパン１９から距離を離して設置しても良いが、ドレンパン１９に多くの排水が溜まることになり、水漏れのリスクが増すため、ドレンポンプ２８の吸込口をドレンパン１９の底面から数ｍｍ離れて設置することは一般的である。
【００２７】
加湿付全熱交換形換気装置１の加湿部ドレンパン７に溜まったドレン水は、排水ホースを介してドレンポンプユニット１５のドレンパン１９に流れ込み貯留される。ドレンパン１９に溜まった水の水位がある程度増加すると、フロートスイッチ２９のフロートが浮いてスイッチがオンしドレンポンプ２８が動作させる。ドレンポンプ２８が動作すると、ドレンパン１９に溜まった水が汲み上げられ、ドレンポンプ２８に接続されたドレンポンプホース３１を通過し、ユニット筐体１８に取付けられたユニット排水口３２から排水される。また、何らかの異常によりドレンパン１９に溜まったドレン水の水位が上昇した場合には、水検知センサー３０が検知し、エラー信号として制御回路に入力する。
【００２８】
ドレンパン１９およびドレンポンプ２８、フロートスイッチ２９、水検知センサー３０は、定期的なメンテナンスと清掃が必要である。特にドレンパン１９の埃などによる汚れあるいはスライム発生の原因によりドレンポンプ２８が詰まる虞がある。ドレンポンプ２８が詰まった場合、ドレン水の排水不具合が発生するので、ドレンパン１９の定期的な清掃が必要不可欠となっている。
【００２９】
次に、ドレンポンプユニット１５のドレンパン１９およびドレンポンプ２８、フロートスイッチ２９、水検知センサー３０のメンテナンスについて、図７乃至図１０を用いて説明する。
図７は本発明の実施の形態に係るドレンポンプユニットのメンテナンスカバーを取り外して示す正面図、図８は本発明の実施の形態に係るドレンポンプユニットのメンテナンスカバーとドレンポンプ・センサーユニットの両方を取り外して示す斜視図、図９は本発明の実施の形態に係るドレンポンプ・センサーユニットを矢印Ａ方向に移動させてメンテナンスフックに引っ掛けた状態を示す正面図、図１０は本発明の実施の形態に係るドレンポンプ・センサーユニットをメンテナンスフックに引っ掛けた状態およびドレンパンを矢印Ｂ方向に移動させた状態を示す斜視図である。
【００３０】
ドレンパン１９およびドレンポンプ２８、フロートスイッチ２９、水検知センサー３０のメンテナンスと清掃を実施する場合は、メンテナンスカバー２２を取り外した状態で実施する。
ドレンパン１９のメンテナンスを実施する場合は、ドレンポンプ・センサーユニット２０の一部、即ちドレンポンプ２８、フロートスイッチ２９および水検知センサー３０がドレンパン１９の内部に収納された状態となっているため、このままでは、ドレンパン１９の内部をうまく清掃することができない(図７参照)。この状態でドレンパン１９の内部を清掃することができないこともないが、天井裏の作業となるため非常に困難な作業となり、確実な清掃が可能とは言い難く、ドレンパン１９の埃などの汚れやスライムを確実に除去することができず、ドレンポンプ２８の詰まりの原因となる。
【００３１】
ドレンポンプ・センサーユニット２０の一部がドレンパン１９の内部に収納された状態でのドレンパン１９の清掃を容易にするためには、ドレンポンプ・センサーユニット２０をドレンパン１９の内部から移動させることが必要となる。
【００３２】
そこで、本実施の形態のドレンポンプユニット１５においては、ドレンパン１９の清掃を容易に実施できるように、ユニット筐体１８に取り付けられた電源制御ボックス２１のドレンポンプ・センサーユニット２０側の側面に支持体３３が設けられている。支持体３３は、図７および図８に示すように、片面開放の箱状に形成され、切り起こしによりＬ字状に形成された上段支持片３３ａおよび下段支持片３３ｂが設けられている。
【００３３】
ドレンポンプ・センサーユニット２０を構成するメンテナンスピース２７には、図５および図６に示すように、上段支持片３３ａと係合して係止される上段係止片２７ａおよび下段支持片３３ｂに係合して係止される一対の下段係止片２７ｂが設けられている。上段係止片２７ａおよび下段係止片２７ｂは、メンテナンスピース２７の切り起こしにより形成されている。
【００３４】
本実施の形態においては、図９に示すように、ドレンポンプ・センサーユニット２０を上方(矢印Ａ方向)へ持ち上げて、メンテナンスピース２７の上段係止片２７ａと下段係止片２７ｂを、電源制御ボックス２１の支持体３３に設けられた上段支持片３３ａと下段支持片３３ｂにそれぞれ係合させて係止し、ドレンポンプ・センサーユニット２０を電源制御ボックス２１に引っ掛ける。この引っ掛けにより、ドレンポンプ・センサーユニット２０がドレンパン１９より上方に位置するので、ドレンパン１９をドレンポンプユニット１５から引き出したり（矢印Ｂ方向）、納めることが可能となる（矢印Ｃ方向）。なお、ドレンポンプ・センサーユニット２０を電源制御ボックス２１に引っ掛けるようにしているが、これは一例であって限定されるものではない。
【００３５】
以上のように実施の形態によれば、天井裏でのドレンパン１９の清掃作業を行う際、ドレンポンプユニット１５のメンテナンスカバー２２を開け、ドレンポンプ・センサーユニット２０を上方へ持ち上げて電源制御ボックス２１に引っ掛けるだけであるため、ドレンパン１９の清掃作業を容易に確実にでき、清掃時間の短縮を図ることができる。
また、ドレンポンプユニット１５の清掃やメンテナンスも一方向（矢印Ｂ、Ｃ方向）から実施が可能となるため、天井裏でのメンテナンススペースの縮小化も期待できる。
また、ドレンポンプ・センサーユニット２０を電源制御ボックス２１に引っ掛けた際、ドレンポンプ・センサーユニット２０がドレンパン１９より上方に位置するので、ドレンポンプ２８、フロートスイッチ２９、水検知センサー３０のメンテナンスが容易となる。
【００３６】
また、実施の形態では、ドレンポンプ・センサーユニット２０を電源制御ボックス２１に引っ掛けられるようにしたが、これに代えて、ドレンポンプ・センサーユニット２０をユニット筐体１８のうち、メンテナンスカバー２２と対向する側面に引っ掛けられるようにしてもよい。この場合、そのユニット筐体１８の側面に上段支持片３３ａおよび下段支持片３３ｂを有する支持体３３を設け、ドレンポンプ・センサーユニット２０を構成する一対のドレンポンプ・センサー固定板２５のうち、前記支持体３３と対向する側のドレンポンプ・センサー固定板２５に、上段支持片３３ａと係合して係止される上段係止片２７ａおよび下段支持片３３ｂに係合して係止される一対の下段係止片２７ｂを設ける。
【００３７】
このように構成した場合も、天井裏でのドレンパン１９の清掃作業を行う際、ドレンポンプユニット１５のメンテナンスカバー２２を開け、ドレンポンプ・センサーユニット２０を上方へ持ち上げてドレンポンプ・センサー固定板２５に引っ掛けるだけであるため、ドレンパン１９の清掃作業を容易に確実にでき、清掃時間の短縮を図ることができる。
また、ドレンポンプユニット１５の清掃やメンテナンスも一方向から実施が可能となるため、天井裏でのメンテナンススペースの縮小化も期待できる。
また、ドレンポンプ・センサーユニット２０をドレンポンプ・センサー固定板２５に引っ掛けた際、ドレンポンプ・センサーユニット２０がドレンパン１９より上方に位置するので、ドレンポンプ２８、フロートスイッチ２９、水検知センサー３０のメンテナンスが容易となる。
【００３８】
なお、実施の形態では、ドレンポンプユニット１５を加湿付全熱交換形換気装置に用いたことを一例として述べたが、ドレンポンプユニット１５を空気調和機の室内機に適用しても同様の効果を奏する。
【符号の説明】
【００３９】
１  加湿付全熱交換形換気装置、２  給気用送風機、３  排気用送風機、４  熱交換素子、５  直膨コイル、６  加湿器、７  加湿部ドレンパン、８  外気吸い込み口、９  給気吐き出し口、１０  室内空気吸い込み口、１１  排気吐き出し口、１２  給気風路、１２ａ  熱交換前給気風路、１２ｂ  熱交換給気風路、１２ｃ  熱交換後給気風路、１３  排気風路、１３ａ  熱交換前排気風路、１３ｂ  熱交換排気風路、１３ｃ  熱交換後排気風路、１４  ドレン排水口、１５  ドレンポンプユニット、１６  接続金具、１７  排水ホース、１８  ユニット筐体、１９  ドレンパン、２０  ドレンポンプ・センサーユニット、２１  電源制御ボックス、２２  メンテナンスカバー、２３  ボックスカバー、２４  ドレンポンプ固定板、２５  ドレンポンプ・センサー固定板、２６  上面板、２７  メンテナンスピース、２７ａ  上段係止片、２７ｂ  下段係止片、２８  ドレンポンプ、２９  フロートスイッチ、２９ａ  支持板、３０  水検知センサー、３０ａ  支持板、３１  ドレンポンプホース、３２  ユニット排水口、３３  支持体、３３ａ  上段支持片、３３ｂ  下段支持片。
【図１】
2014052095.tif 000003
【図２】
2014052095.tif 000004
【図３】
2014052095.tif 000005
【図４】
2014052095.tif 000006
【図５】
2014052095.tif 000007
【図６】
2014052095.tif 000008
【図７】
2014052095.tif 000009
【図８】
2014052095.tif 000010
【図９】
2014052095.tif 000011
【図１０】
2014052095.tif 000012